(57)【要約】【課題】      釣り具の位置や角度が大きく変更可能な釣り具の保持装置を提供することである。【解決手段】  コ字形の万力台１の一角隅部に角度４５゜に傾斜した円柱状の回動支持部１ｃが形成され、この回動支持部１ｃに回動自在に嵌合された釣り具１０を保持する保持部Ａと、保持部Ａに設けられた回動支持部１ｃを締め付ける操作部Ｂとで構成されている。  保持部Ａはホルダ−２と２つ割の挾持部３、３からなり、挾持部３は回動支持部１ｃとホルダ−２の球状基部２ｂを挟み込むように対向面３ａ、３ａと、凹状の挾持面３ｄ、３ｄが形成され、対向面３ａ、３ａに回動支持部１ｃの外周のＶ状の突部１ｄとＶ状の溝１ｅが嵌まるＶ状の溝３ｅ、３ｅとＶ状の突部３ｆ、３ｆが形成されている。【選択図】        図２
2009284864.tif 000002
【特許請求の範囲】
【請求項１】
コ字形の万力台に回動支持部を設け、この回動支持部に釣り具を保持する保持部を回動自在に取り付け、保持部は釣り具のホルダ−と回動支持部を挾持する挾持部と操作部を有し、操作部でホルダ−と回動支持部を挾持部で同時に締め付け可能としたことを特徴とする釣り具の保持装置。
【請求項２】
回動支持部は万力台の横辺と縦辺の間に形成されていることを特徴とする請求項１に記載の釣り具の保持装置。
【発明の詳細な説明】
【技術分野】
【０００１】
本発明は、釣りでパラソル等の釣り具を保持する釣り具の保持装置に関する。
【背景技術】
【０００２】
従来特許文献１、特許文献２のように釣りでパラソルなどの釣り具を保持する保持装置として、万力状の台部に球体が嵌まる球状の凹部を設けて球体にパラソルの柄が嵌合取り付けられる筒部を設けている。
この特許文献ではパラソルなどの釣り具を保持する保持装置として以外には万力状の台部を活用することが出来ない欠点がある。
【特許文献１】特開２０００−２３７２１号公報
【特許文献２】特開２００６−１８７２３６号公報
【発明の開示】
【発明が解決しようとする課題】
【０００３】
解決しようとする問題点は、万力状の台部を他に活用が容易に出来ないことである。
【０００４】
本発明の目的は前記欠点に鑑み、万力状の台部から釣り具を保持する保持部を取り外し出来るので他の釣り具の保持部としても活用が出来る釣り具の保持装置を提供することである。
【課題を解決するための手段】
【０００５】
本発明の請求項１は、コ字形の万力台に回動支持部を設け、この回動支持部に釣り具を保持する保持部を回動自在に取り付け、保持部は釣り具のホルダ−と回動支持部を挾持する挾持部と操作部を有し、操作部でホルダ−と回動支持部を挾持部で同時に締め付け可能としたことを要旨とするものである。
本発明の請求項１は、回動支持部は万力台の横辺と縦辺の間に形成されていることを特徴とすることを要旨とするものである。
【発明の効果】
【０００６】
本発明の請求項により、操作部の操作レバ−の操作でコ字形の万力台の回動支持部が保持部の挾持部で締め付けたり締め付けを解除して回動して位置が変えられ、更に保持部に保持されたホルダ−を締め付けたり締め付けを解除して向きを変えることで釣り具ホルダ−部と釣り具の角度が変えられる。
【発明を実施するための最良の形態】
【０００７】
釣り具の保持装置は、コ字形の万力台１と、万力台１の一角隅部に角度４５゜に傾斜した円柱状の回動支持部１ｃが形成され、この回動支持部１ｃに回動自在に嵌合された釣り具１０を保持する保持部Ａとで構成されている。
保持部Ａは回動支持部１ｃを締め付ける操作部Ｂを有している。
回動支持部１ｃの上方外周にＶ状の突部１ｄとＶ状の溝１ｅが形成されている。
釣り具１０を保持する保持部Ａはホルダ−２と挾持部３からなっている。
ホルダ−２は釣り具ホルダ−部２ａと球状基部２ｂが一体に形成されている。
挾持部３は回動支持部１ｃとホルダ−２の球状基部２ｂを挟み込むように２つ割に形成された一対の挾持片３−１、３−２からなり操作部Ｂの螺子部１２で合体されている。
挾持部３には図２（ｂ）、図２（ｄ）のように挾持片３−１、３−２の左右両側に形成された対向面３ａ、３ａと、挾持部３内側の下側に形成された凹部３ｂ、３ｂと、螺子部１２が挿通されて螺合された筒部３ｃ、３ｃと、図２（ｄ）に挾持片３−１、３−２の内側の上側に球状基部２ｂを両側から挟み込む凹状の挾持面３ｄ、３ｄが形成され、対向面３ａ、３ａに回動支持部１ｃが差し込まれて挾持される係合部Ｋが形成され、係合部Ｋには回動支持部１ｃの外周のＶ状の突部１ｄとＶ状の溝１ｅが嵌まるＶ状の溝３ｅ、３ｅとＶ状の突部３ｆ、３ｆが形成されている。
【実施例１】
【０００８】
以下、図示の実施例によって本発明を説明すると、図１、図２は第１実施例で図１は釣り具の保持装置の正面図、図２は釣り具の保持装置の拡大要部で（ａ）は外観正面図で（ｂ）は外観側面図で（ｃ）は回動支持部より上側の保持部の拡大正面図で（ｄ）は回動支持部より上側の保持部内の断面側面図である。
【０００９】
釣り具の保持装置は、横辺１ａとこの横辺１ａの両側から互いに向かい合うように突出する一対の縦辺１ｂを有するコ字形の万力台１を有し、万力台１の横辺１ａと縦辺１ｂの間の一角隅部に角度４５゜の斜め方向に傾斜した円柱状の回動支持部１ｃが突設され、この回動支持部１ｃに回動自在に釣り具１０を保持する保持部Ａが嵌合されて保持部Ａに回動支持部１ｃを締め付けて保持部Ａを回動支持部１ｃに止着して位置決めする操作部Ｂとで構成されている。
回動支持部１ｃの上方側外周にＶ状の突部１ｄとＶ状の溝１ｅが形成されている。
釣り具１０を保持する保持部Ａはホルダ−２と挾持部３からなっている。
挾持部３は２つ割りされて一対の挾持片３−１、３−２からなっている。
ホルダ−２は釣り具ホルダ−部２ａと球状基部２ｂが一体に形成されている。
釣り具ホルダ−部２ａは釣り具１０の軸１１等を嵌合して保持するための孔２ｃを有し、この孔２ｃに釣用パラソルからなる釣り具１０の軸１１が差し込まれて着脱自在に取り付けられる。
挾持部３は回動支持部１ｃとホルダ−２の球状基部２ｂを挟み込むように挾持片３−１、３−２の２つ割に形成されてレバ−状の操作部Ｂの回動操作で挾持片３−１、３−２の筒部３ｃ、３ｃの挿通孔３ｇ、３ｇに螺合した螺子部１２で合体されている。
【００１０】
挾持部３には図２（ｂ）、図２（ｄ）のように対向面３ａ、３ａと、挾持部３内側の下側に形成された凹部３ｂ、３ｂと、螺子部１２が挿通されて螺合された筒部３ｃ、３ｃと、図２（ｄ）に挾持片３−１、３−２の内側の上側に球状基部２ｂを両側から挟み込む凹状の挾持面３ｄ、３ｄが形成され、対向面３ａ、３ａに回動支持部１ｃが差し込まれて挾持される係合部Ｋが形成され、係合部Ｋには回動支持部１ｃの外周のＶ状の突部１ｄとＶ状の溝１ｅが嵌まるＶ状の溝３ｅ、３ｅとＶ状の突部３ｆ、３ｆが形成されている。
挾持部３、３の対向する対向面３ａ、３ａ間は釣り具ホルダ−部２ａの基部が挿入可能な幅に形成されている。
挾持部３の外側の操作部Ｂの螺子部１２には操作レバ−１３が取り付けられている。
操作レバ−１３を回して、螺子部１２を回動すると螺子部１２が螺合した挾持片３−１、３−２が互いに接近する方向に移動し、ホルダ−２と回動支持部１ｃが両者共に締め付け止着される。
釣り具１０は竿掛けや餌箱等でもよく、これらの軸を釣り具ホルダ−部２ａの孔２ｃに差し込んで取り付けてもよい。
【００１１】
釣り具の保持装置が使用される時は、支持体の縁４にコ字形の万力台１が取り付けられ、回動支持部１ｃの上方外周に釣り具１０を保持する保持部Ａが回動自在に取り付けられ、回動支持部１ｃを保持部Ａの対向面３ａ、３ａの挾持部Ｋで挟み、回動支持部１ｃの外周のＶ状の突部１ｄとＶ状の溝１ｅをＶ状の溝３ｅ、３ｅとＶ状の突部３ｆ、３ｆに嵌め込んで抜け止めし、ホルダ−２の球状基部２ｂを挾持面３ｄ、３ｄで挟み込んで保持し、操作部Ｂの操作レバ−１３の操作で回動支持部１ｃとホルダ−２の球状基部２ｂが共に締め付けられ止着され、位置決めされる。
釣り具１０の角度を変更する時には、ホルダ−２の釣り具ホルダ−部２ａを握って操作レバ−１３を緩めて所望の角度に釣り具１０を変えて操作レバ−１３で締め付けられる。
保持部Ａの位置を回動して変える時には、保持部Ａの挾持部３、３を握って操作レバ−１３を緩めて回動することで出来、所望の位置に保持部Ａを変えて操作レバ−１３で締め付けられ、釣り具ホルダ−部２ａの位置と角度方向を任意の方向に向けるなどできる。
【００１２】
前記のように釣り具の保持装置が構成されると、コ字形の万力台１の一角隅部に角度４５゜に傾斜した回動支持部１ｃが保持部Ａの挾持部Ｋで挾持されながら回動支持部１ｃの外周のＶ状の突部１ｄとＶ状の溝１ｅをＶ状の溝３ｅ、３ｅとＶ状の突部３ｆ、３ｆに嵌め込んで係合し抜け止めされると共に円柱状の回動支持部１ｃを中心にその周方向に回動して位置（方向）が変えられ、更に操作部Ｂの操作レバ−１３の操作で保持部Ａの挾持片３−１、３−２で挾持されて保持されたホルダ−２を締め付けたり締め付けを解除して向きを変えることで釣り具ホルダ−部２ａと釣り具１０の角度が変えられる。
また、操作部Ｂの操作レバ−１３の操作で保持部Ａの挾持片３−１、３−２による万力台１の回動支持部１ｃを締め付けたり締め付けを解除して上記のように保持部Ａの回動支持部１ｃに対する位置（方向）が変えられることに加え、保持部Ａを取り外すことが容易にできるので、取り外して竿掛け等の釣り具１０が取り付けられた保持部と変更が容易に行える。
保持部Ａの挾持片３−１、３−２による上記回動支持部１ｃの締め付けによる位置（方向）決めとホルダ−２の球状基部２ｂの締め付けによる位置（方向）決めの両方が操作部Ｂの操作レバ−１３の操作で出来る。
【実施例２】
【００１３】
図３は第２実施例で図３は釣り具の保持装置の拡大要部で（ａ）は外観正面図で（ｂ）は外観側面図で（ｃ）は回動支持部より上側の保持部の拡大正面図で（ｄ）は回動支持部より上側の保持部内の断面側面図である。
【００１４】
第２実施例で釣り具の保持装置は、筒状の保持部Ａ′が釣り具ホルダ−部２ａを有するホルダ−２と挾持部３と挾持片５で構成されると共に保持部Ａ′と挾持片５がその下方に凹状の係合部Ｋ′を有し、コ字形の万力台１の一角隅部に角度４５゜に傾斜した回動支持部１ｃが保持部Ａの挾持部Ｋで挾持されながら回動支持部１ｃの外周のＶ状の突部１ｄとＶ状の溝１ｅをＶ状の溝３ｅと挾持片５のＶ状の溝５ａとＶ状の突部３ｆと挾持片５のＶ状の突部５ｂに嵌め込んで抜け止めされると共に回動して位置が変えられ、更に操作部Ｂの操作レバ−１３の操作で保持部Ａ内の挾持片５を押圧して保持されたホルダ−２を締め付けたり締め付けを解除して向きを変えることで釣り具ホルダ−部２ａと釣り具１０の角度が変えられる。
挾持片５は保持部Ａ′の一側内側に縦方向の凹部３ｈが形成されてこの凹部３ｈの中に挾持片５が挿入されている。
挾持片５には、挾持部３のＶ状の溝３ｅとＶ状の突部３ｆと挾持面３ｄに対向するＶ状の溝５ａとＶ状の突部５ｂと挾持面５ｃが形成されている。
他の構成は前記第１実施例と略同一である。
【００１５】
筒状の保持部Ａ′の中にホルダ−２と回動支持部１ｃが挿入される時は操作部Ｂの操作レバ−１３が緩められて挾持片５が後退され、ホルダ−２と回動支持部１ｃが挿入される。
他の操作は前第１実施例と略同一である。
なお、本発明はパラソルの他に竿掛けや餌箱等の釣り具を保持してもよい。
【産業上の利用可能性】
【００１６】
本発明は釣り具の保持装置全般に利用できる。
【図面の簡単な説明】
【００１７】
【図１】第１実施例で釣り具の保持装置の正面図である。
【図２】同釣り具の保持装置の拡大要部で（ａ）は外観正面図で（ｂ）は外観側面図で（ｃ）は回動支持部より上側の保持部の拡大正面図で（ｄ）は回動支持部より上側の保持部内の断面側面図である。
【図３】第２実施例で釣り具の保持装置の拡大要部で（ａ）は外観正面図で（ｂ）は外観側面図で（ｃ）は回動支持部より上側の保持部の拡大正面図で（ｄ）は回動支持部より上側の保持部内の断面側面図である。
【符号の説明】
【００１８】
１  コ字形の万力台
１ｃ  回動支持部
２  ホルダ−
３  挾持部
３ｅ、５ａ  溝
１０  釣り具
Ａ、Ａ′  保持部
Ｂ  操作部
【図１】
2009284864.tif 000003
【図２】
2009284864.tif 000004
【図３】
2009284864.tif 000005